(57)【要約】      （修正有）【課題】タイル落下防止機能を有し、大型タイルを簡単かつ安価に設置可能なタイル取付用金具、タイルならびにそれらのセットを提供する。【解決手段】タイル下地材に面接するように形成された下地材固定板部１１、タイル裏面に作製したスリットに係止可能な先端係止部１４を有し、かつタイル裏面に面接するように形成されたタイル係止板部１３を有するように金属板を成形加工して得られたタイル取付用金具１を用いて、裏面にスリットが形成されたタイルを係止する。【選択図】図１
0003203771.tif 000002
【実用新案登録請求の範囲】
【請求項１】
金属板を成形加工して得られるタイル取付用金具であって、
a) タイル下地材に面接するように形成された下地材固定板部、
b) タイル裏面に形成したスリットに係止可能な先端係止部を有し、かつタイル裏面に面接するように形成されたタイル係止板部、および
c) 前記下地材固定板部と前記タイル係止板部とを連結し、下地材固定板部の平面とタイル係止板部の平面とが平行するように屈曲形成された連結部
からなり、
下地材固定板部が貫通孔を有し、タイル係止板部が連結部に対向する端部にて、前記先端係止部を有する、前記タイル取付用金具。
【請求項２】
先端係止部が、タイル係止板部の平面に対して、下地材固定板部とは反対側に突出し、先端係止部の平面とタイル係止板部の平面とが、曲げ加工により、４０〜７０度の角度に成形された請求項１記載のタイル取付用金具。
【請求項３】
タイル係止板部と、タイル下地材とが、厚み５〜８ｍｍの空間を形成する請求項１または２記載のタイル取付用金具。
【請求項４】
先端係止部の幅が、スリットに係止可能となるようにスリットの幅より小さく、タイル取付用金具がタイルを係止した時、１，０００Ｎ以上の保持力を有する請求項１〜３いずれか１記載のタイル取付用金具。
【請求項５】
下地材固定板部が、長さ１０〜２０ｍｍ×幅３０〜５０ｍｍ×厚み０．５〜１．０ｍｍ；タイル係止板部が、長さ２０〜２５ｍｍ×幅３０〜５０ｍｍ×厚み０．５〜１．０ｍｍ；連結部が、長さ４〜８ｍｍ×幅３０〜５０ｍｍ×厚み０．５〜１．０ｍｍ；および先端係止部が、長さ５〜９ｍｍ×幅３０〜５０ｍｍ×厚み０．５〜１．０ｍｍを有する請求項１〜４いずれか１記載のタイル取付用金具。
【請求項６】
下地材固定板部が、長さ１５ｍｍ×幅４０ｍｍ×厚み０．８ｍｍ；タイル係止板部が、長さ２３ｍｍ×幅４０ｍｍ×厚み０．８ｍｍ；および連結部が、長さ５．７ｍｍ×幅４０ｍｍ×厚み０．８ｍｍ；および先端係止部が、長さ７ｍｍ×幅４０ｍｍ×厚み０．８ｍｍを有する請求項５記載のタイル取付用金具。
【請求項７】
１または複数のスリットを裏面に備えたタイルであって、
１または複数のスリットの各々が、タイル裏面の上部縁端から２０〜４０ｍｍ離れて前記上部縁端に平行して延在し、タイル裏面から表面方向でかつ前記上部縁端に向かって斜めに形成されている、該タイル。
【請求項８】
スリットが、タイル裏面に相互に離れて少なくとも２ヵ所作製され、タイルの左右縁端から幅寸法の５分の１を中心として、幅１００〜１５０ｍｍで形成されることを特徴とする請求項７記載のタイル。
【請求項９】
請求項１〜６のいずれかに記載のタイル取付用金具と、請求項７または８に記載のタイルとのセットであって、
該タイル取付用金具および該タイルが、タイル取付用金具の貫通孔に固定用ビスを通してタイル取付用金具を固定することにより、タイル下地材に固定されることを特徴とする該セット。
【請求項１０】
タイル固定用の接着剤をタイルの裏面またはタイル下地材の表面に予め塗布した状態で、タイル下地材上で、前記タイル取付用金具の先端係止部をタイル裏面のスリットに係止し、前記タイル取付用金具の貫通孔に固定用ビスを通してタイル取付用金具を固定することにより、タイルがタイル下地材に固定されることを特徴とする請求項９記載のセット。
【考案の詳細な説明】
【技術分野】
【０００１】
本考案は、建築物の内壁および外壁等への大型タイル設置のためのタイル取付用金具、タイルならびにそれらのセットに関する。
【背景技術】
【０００２】
近年、地震、洪水等の自然災害において、中高層ＲＣ造建物に多い湿式タイル仕上げ外壁や建物内の内壁が、軽度な地震動によっても高率の被害を受けることが注目されている。特に、東日本大震災では、大型タイル外壁や内壁に剥離・剥落等の損傷が多く発生し、その損傷に伴う人的被害さえ報告されている。
【０００３】
そして、大規模な大地震や洪水が、国内を始め世界各地で発生することが予測され、ますます耐震および洪水に対するタイル外壁や内壁の剥離・剥落に対処する安全性の確保が求められている。
【０００４】
また、タイル外壁や内壁では、老朽化に伴うタイル外壁や内壁の剥離・剥落等の人的被害を最小限にするため、長期間にわたるタイル外壁や内壁の剥離・剥落の防止も求められている。
【０００５】
このような状況において、近年、建築物等への大型タイル設置に際して、種々の固定デバイスや取付け構造が提供されている。
例えば、針金等の金属製線状体を三角形、台形等の多角形に成型し、タイル裏面に配置して、建築物の壁面等にタイルを取り付けるためのタイル取付金具およびそのタイル取付構造が提供されている（特許文献１）。
また、トンネル壁面被覆用タイルパネルの設置用取付金具およびそのタイルパネルとして、タイルパネルの上下限を支持する水平延辺部（凹部）を有する取付金具が提供されている（特許文献２）。
【先行技術文献】
【特許文献】
【０００６】
【特許文献１】登録実用新案第３１８２０６６号公報
【特許文献２】特開２０１５−１４０６１７号公報
【考案の概要】
【考案が解決しようとする課題】
【０００７】
しかしながら、前記の金属製線状体を用いるタイル取付金具は、高重量の大型タイルには強度的に耐えられず断面積が小さいことにより、腐食に対する耐久性も低いと考えられ、タイル裏面中央に配置されるためタイルが不安定になるおそれもある。
また、トンネル壁面被覆用の前記取付金具は、大型タイル等の高重量に耐えうるが、そのタイルパネル取付工程が複雑であり、その取付金具の作製や、設置に時間と費用を要するという欠点を有していた。
【０００８】
そこで、本考案の目的は、前記のごとき従来技術の問題を解決する建築物等の外壁および内壁等への大型タイル設置のためのタイル取付用金具、タイルならびにそれらのセットを提供することである。
【課題を解決するための手段】
【０００９】
この目的を達成するため、本考案は、以下のごとき構成を有するタイル取付用金具、タイルならびにそれらのセットを提供する。
【００１０】
本考案は、一の態様において、金属板を成形加工して得られるタイル取付用金具１であって、
a) タイル下地材４に面接するように形成された下地材固定板部１１、
b) タイル裏面に形成したスリットに係止可能な先端係止部１４を有し、かつタイル裏面に面接するように形成されたタイル係止板部１３、および
c) 前記下地材固定板部１１と前記タイル係止板部１３とを連結し、下地材固定板部１１の平面とタイル係止板部１３の平面とが平行するように屈曲形成された連結部１２
からなり、
下地材固定板部１１が貫通孔１５を有し、タイル係止板部１３が連結部１２に対向する端部にて、前記先端係止部１４を有する、該タイル取付用金具を提供する。
【００１１】
また、もう一つの態様として、本考案は、１または複数のスリットを裏面に備えたタイル２であって、
１または複数のスリット２１の各々が、タイル裏面の上部縁端から２０〜４０ｍｍ離れて前記上部縁端に平行して延在し、タイル裏面から表面方向でかつ前記上部縁端に向かって斜めに形成されている、該タイルを提供する。
【００１２】
さらなる態様として、本考案は、前記タイル取付用金具１と、前記タイル２とのセットであって、
前記タイル取付用金具１および前記タイル２が、タイル取付用金具１の貫通孔１５に固定用ビス３を通してタイル取付用金具１を固定することにより、タイル下地材４に固定されることを特徴とする、該セットを提供する。
【００１３】
また、前記セットのタイル取付用金具を用いて、タイル取付け構造を形成するための工法を開示する。
【考案の効果】
【００１４】
本考案によれば、タイル落下防止機能を有し、大型タイルを簡単かつ安価に設置可能とするタイル取付用金具およびタイル、ならびにそれらのセットを提供できる。
【図面の簡単な説明】
【００１５】
【図１】図１は、タイル取付用金具の実施態様の一例を示す。
【図２】図２は、タイル取付用金具を用いてタイルを取り付けた状態の断面を示す。
【図３】図３は、タイル裏面のスリット配置における実施態様の一例を示す。
【図４】図４は、タイル取付け時におけるタイル取付用金具およびタイル固定用の接着剤の配置の実施態様の一例を示す。
【考案を実施するための形態】
【００１６】
本考案に係るタイル取付用金具、タイルおよびそれらのセットを実施するための形態を実施例に基づき図面を参照して、以下に説明する。
【実施例】
【００１７】
図１は、本考案によるタイル取付用金具の実施態様の一例を示し、図２は、図１のタイル取付用金具１を用いてタイルを取り付けた状態の断面を示す。
【００１８】
図１に示すごとく、タイル取付用金具１は、タイル下地材４に面接するように形成された下地材固定板部１１、タイル裏面に面接するように形成されたタイル係止板部１３、および前記下地材固定板部１１と前記タイル係止板部１３とを連結する連結部１２で構成される。タイル取付用金具１は、１枚の金属板を成形加工して得られる。
【００１９】
下地材固定板部１１は、タイル下地材４に面接して固定するため、固定用ビス３が通る貫通孔１５を備える。
【００２０】
タイル係止板部１３は、タイル裏面に作製したスリット２１に係止可能な先端係止部１４を備え、この先端係止部１４の係止により、設置時にタイル裏面に面接される。
【００２１】
先端係止部１４は、タイル係止板部１３の平面に対して、下地材固定板部１１とは反対側に突出し、先端係止部１４の平面とタイル係止板部１３の平面とが、曲げ加工により、好ましくは４０〜７０度、より好ましくは、４５〜６０度、最も好ましくは、５０度の角度に成形される。
【００２２】
先端係止部１４は、スリット２１に係止可能となるように、その幅がスリット２１の幅より小さく、タイル取付用金具１がタイル２を係止したとき、１，０００Ｎ以上の保持力を有するように形成される。
【００２３】
連結部１２は、前記下地材固定板部１１と前記タイル係止板部１３とを連結し、下地材固定板部１１の平面とタイル係止板部１３の平面とが平行するように屈曲形成される。
【００２４】
連結部１２の屈曲形成は、図２のごとく、タイル係止板部１３の平面とタイル下地材４とが平行し、空間（クリアランス）を形成するようになされる。そして、その空間（クリアランス）は、タイル固定用の接着剤５によるタイル裏面またはタイル取付用金具１とタイル下地材４との接着強度等を考慮し、好ましくは、厚み５〜８ｍｍとされる。
【００２５】
タイル取付用金具１の各構成要素として、下地材固定板部１１が、長さ１０〜２０ｍｍ×幅３０〜５０ｍｍ×厚み０．５〜１．０ｍｍ；タイル係止板部１３が、長さ２０〜２５ｍｍ×幅３０〜５０ｍｍ×厚み０．５〜１．０ｍｍ；連結部１２が、長さ４〜８ｍｍ×幅３０〜５０ｍｍ×厚み０．５〜１．０ｍｍ；および先端係止部１４が、長さ５〜９ｍｍ×幅３０〜５０ｍｍ×厚み０．５〜１．０ｍｍを有することが好ましく。
さらに、下地材固定板部１１が、長さ１５ｍｍ×幅４０ｍｍ×厚み０．８ｍｍ；タイル係止板部１３が、長さ２３ｍｍ×幅４０ｍｍ×厚み０．８ｍｍ；および連結部１２が、長さ５．７ｍｍ×幅４０ｍｍ×厚み０．８ｍｍ；および先端係止部１４が、長さ７ｍｍ×幅４０ｍｍ×厚み０．８ｍｍを有するタイル取付用金具がより好ましい。
【００２６】
タイル取付用金具の成形加工は、１枚の金属板を打ち抜き加工し、曲げ加工等の成形加工を経てなされる。金属板は、所定の強度を有する金属製薄板であれば、種々の金属板よりなる金属積層板であってもよく、その材質については特に限定されない。
【００２７】
タイル設置時にタイル取付用金具１を固定するために用いる固定用ビス３は、タイル下地材４に適合したものを用いる。
固定用ビス３としては、例えば、コンクリート用ビス・コンクリート用釘、ＡＬＣ専用ビスおよびボード用ビルが挙げられ、「ナベ頭」を有する直径（φ）３ｍｍ以上かつ長さ（Ｌ）３０ｍｍ以上のビスが好ましい。
【００２８】
図３および４は、各々、タイル裏面のスリット配置、およびタイル取付け時のタイルにおける、タイル取付用金具およびタイル固定用の接着剤の配置における実施態様の一例を示す。
【００２９】
タイル２は、図２の断面図のごとく、タイル取付用金具１により、係止されることにより設置されるが、その係止を可能とするように、図３および４のごとく、タイル裏面には係止用のスリット２１が設けられる。
【００３０】
より具体的には、タイル２は、１または複数のスリット２１を裏面に備え、前記１または複数のスリット２１の各々が、タイル裏面の上部縁端から２０〜４０ｍｍ離れて前記上部縁端に平行して延在し（図３）、タイル裏面から表面方向でかつ前記上部縁端に向かって斜めに形成される（図２）。
【００３１】
また、本願のタイルサイズは、特に限定されるものではないが、２００角〜６００×１２００角が好ましく、より好ましくは、３００角〜６００角、さらにより好ましくは３００×６００角〜６００角である。タイルの厚みは、本発明のタイル取付用金具に係止可能な厚みであれば、特に限定されない。
【００３２】
スリット２１は、タイル取付用金具１の前記先端係止部１４によりタイル２が係止可能となるようなものであれば、特に限定されないが、強度および安定性の観点より、タイル裏面に相互に離れて少なくとも２ヵ所に形成することが好ましい。例えば、スリット２１を２ヵ所に形成する場合、タイル２の左右縁端から幅寸法の５分の１の位置を中心として、各々、幅１００〜１５０ｍｍで形成することが好ましい。
また、スリット２１のスリットの溝の厚みは、特に限定されるものではないが、１１０〜１４０ｍｍが好ましく、１２０〜１３０ｍｍがより好ましい。
スリット２１は、タイルに対して溝を形成できる器具や工作機械、工法を用いることにより形成される。
【００３３】
タイル２を設置するために、タイル固定用の接着剤５が用いられる。接着剤５は、予めタイル２の裏面またはタイル下地材４の表面に適用することができる。
接着剤としては、タイル２の固定に適するものであれば、特に限定されず、通常のタイル設置に用いられる弾性接着剤、シーリング材等を用いることができる。
【００３４】
また、タイル２の設置に際して、タイル取付用金具１の仮止め時に合成ゴム系接着剤や、薄型の両面テープ等を用いてもよく、タイル設置時には、その設置を安定化させるゴムパッキンや、タイル下地材との間に不陸が生じる場合の段差調整用のステンレスパッキン等を用いてもよい。
【００３５】
本考案は、さらなる態様として、前記タイル取付用金具１と、前記タイル２とのセットを提供する。
このセットを用いれば、タイル固定用の接着剤５をタイル２の裏面またはタイル下地材４の表面に予め塗布した状態で、タイル下地材４上で、前記タイル取付用金具１の先端係止部１４をタイル裏面のスリット２１に係止し、前記タイル取付用金具１の貫通孔１５に固定用ビス３を通してタイル取付用金具１を固定することにより、タイルをタイル下地材４に固定することができる。
【００３６】
前記セットのタイル取付用金具１を用いて、図２に記載のごときタイル取付け構造を形成するための工法を示す。
【００３７】
前記工法は、以下の工程を含む。
１）目地部分を設けてタイルの配置が可能なように、タイル取付用金具１をタイル下地材４上に固定用ビス３を用いて仮止めし、
２）前記タイル取付用金具１の先端係止部１４に１のタイル２を係止し、
３）目地部分を正確に確保することを可能とする目地棒を用いて、前記１のタイル２の上下左右のいずれかに隣り合わせて、別のタイル２を配置し、別の固定用ビス３により、別のタイル取付用金具１を仮止めし、
４）上記の工程２）および３）を繰り返して、全タイルを係止するタイル取付用金具１を仮止めし、
５）仮止めした複数の固定用ビス３を前後左右がほぼ一直線となるように固定し、
６）タイル固定用の接着剤５をタイル下地材４またはタイル２の裏面に、好ましくは、上下にビード状にて塗布し、
７）固定したタイル取付用金具１にタイル２を係止し、必要な場合には、ゴムパッキンや、段差調整用のステンレスパッキンを用いて、タイル表面とタイル下地材表面とが平行となるように配置し、および
８）目地部分を目地材により埋め、余分な目地材を除去する。
【００３８】
これらの工程１）〜８）の順序は、タイル下地材の形状、設置するタイルのサイズおよび形状等に応じて適宜変更してもよい。
【００３９】
前記の目地棒、目地材、ゴムパッキン、ステンレスパッキン等は、当該技術分野において通常のタイル設置に用いられるものであってもよい。
【００４０】
以上で実施態様の説明を終えるが、本考案は前記の実施態様に限定されず、その目的を損なうことない適宜の変形を含む。
【産業上の利用可能性】
【００４１】
本考案のタイル取付用金具およびタイルならびにそれらのセットは、タイル落下防止機能を有し、大型タイルを簡単かつ安価に設置可能とする。
【符号の説明】
【００４２】
１  タイル取付用金具
１１  下地材固定板部
１２  連結部
１３  タイル係止板部
１４  先端係止部
１５  貫通孔
２  タイル
２１  スリット
３  固定用ビス
４  タイル下地材
５  タイル固定用の接着剤
【図１】
0003203771.tif 000003
【図２】
0003203771.tif 000004
【図３】
0003203771.tif 000005
【図４】
0003203771.tif 000006